(57)【要約】【課題】地中に設けられたコンクリート構造物の壁を穿孔するため、周方向に複数個に分解可能なコンクリートコアカッターを分解状態でコンクリート構造物内にその入口を通して搬入する際に、狭い現場では極めて搬入作業がやりずらく、又、コンクリート構造物内でコアカッターを組み立てるには更にその作業は極めて困難なものであった。また、コアカッターの径の大きさも制限されるものであった。【解決手段】既存のマンホールと管路との接続部分を開口し、該開口部に免震材等を充填して免震構造とする作業工程において、エンドミルの連続的穿孔切削作用によって容易に管路周縁部を開口することができる管路周縁部開口方法及び装置を提供する。【選択図】図１
2004332515.tif 000002
【特許請求の範囲】
【請求項１】
マンホールと管路との接続部分を開口し、該開口部に免震材等を充填して免震構造とする作業工程において、管路内側に固定部材によって駆動部を固定しＬ型シャフトを回転させながら、該Ｌ型シャフトの先端部に固定されたガイド部材にエンドミル装置本体を取付け、ピニオン・ラック機構により該ドリル本体をガイド部材に沿って摺動し、順次エンドミルの連続的穿孔切削作用によって管路周縁部を開口することを特徴とする管路周縁部開口方法。
【請求項２】
エンドミルによるマンホール壁体の穿孔切削時にはマンホール壁体の表面に耐圧カバーが圧着され、該耐圧カバーに圧縮空気又は止水材が圧送され、マンホール壁体外側からの一時的止水を行い、次いでエンドミル内の貫通孔より止水兼用弾性材を圧入して凝固させることを特徴とする請求項１に記載の管路周縁部開口方法。
【請求項３】
管路内側に固定部材によって駆動部を固定しＬ型シャフトを回転させながら、該Ｌ型シャフトの先端部に固定されたガイド部材にエンドミル装置本体を取付け、ピニオン・ラック機構により該エンドミル本体をガイド部材に沿って摺動し、順次エンドミルの連続的穿孔切削作用によって管路周縁部を開口することを特徴とする管路周縁部開口装置。
【請求項４】
エンドミルによるマンホール壁体の穿孔切削時にはマンホール壁体の表面に耐圧カバーが圧着され、該耐圧カバーに圧縮空気又は止水材が圧送され、マンホール壁体外側からの一時的止水を行い、次いでエンドミル内の貫通孔より止水兼用弾性材を圧入して凝固させることを特徴とする請求項１に記載の管路周縁部開口装置。
【請求項５】
既存のマンホールと管路との接続部分を開口し、該開口部に免震材等を充填して免震構造とする作業工程において、マンホール内に固定部材によってエンドミル装置本体をガイドするガイド部材を固定し、該ドリル装置本体がガイド部材を支点として回動すると共に、ピニオン・ラック機構により該エンドミル本体をガイド部材に沿って摺動し、順次エンドミルの連続的穿孔切削作用によって管路周縁部を開口することを特徴とする管路周縁部開口方法。
【請求項６】
マンホール内に固定部材によってエンドミル装置本体をガイドするガイド部材を固定し、エンドミル装置本体がガイド部材を支点として回動すると共に、ピニオン・ラック機構により該エンドミル本体をガイド部材に沿って摺動し、順次エンドミルの連続的穿孔切削作用によって管路周縁部を開口することを特徴とする管路周縁部開口装置。
【請求項７】
エンドミルを回転させる駆動軸がフレキシブルシャフトであることを特徴とする請求項３乃至４に記載の管路周縁部開口方法及び装置。
【請求項８】
エンドミル装置本体を管路周縁部の外側に位置させ、管路の内側に支持部材によって連結されたガイドローラ及び駆動ローラとが該エンドミル装置本体と更に支持部材によって連結し、駆動ローラを回転させながらエンドミルの連続的穿孔切削作用によって管路周縁部を開口することを特徴とする管路周縁部開口方法。
【請求項９】
エンドミル装置本体を管路周縁部の外側に位置させ、管路の内側に支持部材によって連結されたガイドローラ及び駆動ローラとが該エンドミル装置本体と更に支持部材によって連結し、駆動ローラを回転させながらエンドミルの連続的穿孔切削作用によって管路周縁部を開口することを特徴とする管路周縁部開口装置。
【発明の詳細な説明】
【０００１】
【発明の属する技術分野】
本発明は管路周縁部開口方法及び装置に関し、特にマンホールと管路との接続部分を開口し、該開口部に免震材等を充填して免震構造とする作業工程に於ける管路周縁部開口方法及び装置に関するものである。
【０００２】
【従来の技術】
従来、マンホールと管路との接続部分を開口し、該開口部に免震材等を充填して免震構造とする作業工程においては、先ず管路周縁部を開口しなければならず、その第１工程として既存のコンクリート構造物に穿孔する方法が、例えば特開２００１−３２９５５４号公報に開示されている。
【０００３】
この方法は、地中に設けられたコンクリート構造物の壁を穿孔するため、周方向に複数個に分解可能なコンクリートコアカッターを分解状態でコンクリート構造物内にその入口を通して搬入し、コンクリート構造物内で組み立てたコンクリートコアカッターによりコンクリート構造物の壁を切削するものであった。
【０００４】
【発明が解決しようとする課題】
前記せる従来の方法は、地中に設けられたコンクリート構造物の壁を穿孔するため、周方向に複数個に分解可能なコンクリートコアカッターを分解状態でコンクリート構造物内にその入口を通して搬入する際に、狭い現場では極めて搬入作業がやりずらく、又、コンクリート構造物内でコアカッターを組み立てるには更にその作業は極めて困難なものであった。
【０００５】
【課題を解決するための手段】
本発明者は前記せるような従来の課題を解決するために鋭意研究の結果発明されたものであり、マンホールと管路との接続部分を開口し該開口部に免震材等を充填して免震構造とする作業工程において、管路内側に固定部材によって駆動部を固定しＬ型シャフトを回転させながら、該Ｌ型シャフトの先端部に固定されたガイド部材にエンドミル装置本体を取付け、ピニオン・ラック機構により該エンドミル本体をガイド部材に沿って摺動し、順次エンドミルの連続的穿孔切削作用によって管路周縁部を開口することを特徴とする管路周縁部開口方法であり、エンドミルによるマンホール壁体の穿孔時にはマンホール壁体の表面に耐圧カバーが圧着され、該耐圧カバーに圧縮空気又は止水材が圧送され、マンホール壁体外側からの一時的止水を行う。
【０００６】
次いでエンドミル内の貫通孔より止水兼用弾性材を圧入して凝固させることを特徴とする管路周縁部開口方法であり、管路内側に固定部材によって駆動部を固定しＬ型シャフトを回転させながら、該Ｌ型シャフトの先端部に固定されたガイド部材にエンドミル装置本体を取付け、ピニオン・ラック機構により該エンドミル本体をガイド部材に沿って摺動し、順次エンドミルの連続的穿孔切削作用によって管路周縁部を開口することを特徴とし、エンドミルによるマンホール壁体の穿孔時にはマンホール壁体の表面に耐圧カバーが圧着され、該耐圧カバーに圧縮空気又は止水材が圧送され、マンホール壁体外側からの一時的止水を行い、次いでエンドミル内の貫通孔より止水兼用弾性材を圧入して凝固させることを特徴とする管路周縁部開口装置であり、既存のマンホールと管路との接続部分を開口し、該開口部に免震材を充填して免震構造とする作業工程において、マンホール内に固定部材によってエンドミル装置本体をガイドするガイド部材を固定し、該エンドミル装置本体がガイド部材を支点として回動すると共に、ピニオン・ラック機構により該エンドミル本体をガイド部材に沿って摺動し、順次エンドミルの連続的穿孔切削作用によって管路周縁部を開口することを特徴とする管路周縁部開口方法であり、マンホール内に固定部材によってエンドミル装置本体をガイドするガイド部材を固定し、エンドミル装置本体がガイド部材を支点として回動すると共に、ピニオン・ラック機構により該エンドミル本体をガイド部材に沿って摺動し、順次ドリルの連続的穿孔切削作用によって管路周縁部を開口することを特徴とし、エンドミルを回転させる駆動軸がフレキシブルシャフトであることを特徴とする管路周縁部開口装置であり、エンドミル装置本体を管路周縁部の外側に位置させ、管路の内側に支持部材によって連結されたガイドローラ及び駆動ローラとが該エンドミル装置本体と更に支持部材によって連結し、駆動ローラを回転させながらエンドミルの連続的穿孔切削作用によって管路周縁部を開口することを特徴と管路周縁部開口方法であり、エンドミル装置本体を管路周縁部の外側に位置させ、管路の内側に支持部材によって連結されたガイドローラ及び駆動ローラとが該エンドミル装置本体と更に支持部材によって連結し、駆動ローラを回転させながらエンドミルの連続的穿孔切削作用によって管路周縁部を開口することを特徴とする管路周縁部開口方法及び装置を提供するものである。
【０００７】
【発明の実施の形態】
以下、図面に基づいて、本発明の管路周縁部開口方法及び装置について詳細に説明する。図面に於いて、図１は本発明管路周縁部穿孔装置の側面図である。図２は本発明管路周縁部穿孔装置の側面図である。図３は図１の部分拡大側面図である。図４は本発明管路周縁部穿孔方法及び装置の他の実施例を示す部分正面図である。図５は本発明管路周縁部開口方法及び装置によって開口された管路周縁開口部の斜視図である。
【０００８】
先ず図１及び図２に示す実施例に基づいて本発明の管路周縁部開口方法及び装置について説明する。
既存のマンホール壁体１と管路２との接続部分を開口し、該管路周縁部開口部１８に免震材等（図示せず）を充填して免震構造とする作業工程において、管路２の内側に固定部材３、３によって駆動部５を固定し、Ｌ型シャフト５１を回転させながら、該Ｌ型シャフト５１の先端部に固定されたガイド部材６４にエンドミル装置本体６を取付け、ピニオン・ラック機構により該エンドミル本体６をガイド部材６４に沿って摺動し、順次ドリル６１の連続的穿孔切削作用によって管路周縁部を図５に示すように開口することができる。
【０００９】
駆動部５内に収納されるモーター及びギヤ列は図示されていないが、Ｌ型シャフト５１を回転させるものであり、前記せるような作用によって管路周縁部が開口されるものである。従って該駆動部５は管路２内の中心部に強固に固定されることが必要であり、例えば固定部材３、３間に固定位置調整部４、４があり、該固定位置調整部４、４の作用により固定部材３、３は強固に管路２内壁と駆動部５に押し付けられる結果、該駆動部５が管路２の内側中心部に強固に固定される。
【００１０】
Ｌ型シャフト５１の先端部にはガイド部材６４が固定されており、該ガイド部材６４にはラック６２が一体的に固定され、該ラック６２に噛み合うピニオンはピニオン軸６３に固定されてエンドミル装置本体６内に収納されているので、操作レバー６５の回転操作によりエンドミル装置本体６は前進し、エンドミル６１によってマンホール壁体１が穿孔される。
【００１１】
エンドミル６１がマンホール壁体１を穿孔する際、耐圧カバー６０１がマンホール壁体１に圧着され、マンホール壁体の外側の地中内水圧に抗する為に、該耐圧カバー６０１内にはホース６０２を介して耐圧用空気が圧送される。次いで、エンドミル装置本体６に接続されたホース６０４及びエンドミル６１の貫通孔６７を介してマンホール壁体の外側に止水兼用弾性材が圧入される。
【００１２】
管路周縁部を開口する際に予め止水兼用弾性材１６をマンホール壁体１の外側と管路２の外周部に注入するには、最初にエンドミル６１で穿孔された孔部よりエンドミル内の貫通孔６７より圧入してもよく、又は作業現場の状況に併せて、その他の位置で穿孔してそこから圧入してもよい。
【００１３】
次いで、図２に実施例の場合について説明すると、既存のマンホール壁体１と管路２との接続部分を開口し該管路周縁部開口部１８に免震材等（図示せず）を充填して免震構造とする作業工程において、マンホール壁体１の内側に固定部材３、３、３によってエンドミル装置本体６をガイドするガイド部材６４をその一つに固定し、該エンドミル装置本体６がガイド部材６４を支点として回動すると共に、ピニオン・ラック機構６６により該エンドミル装置本体６をガイド部材６４に沿って摺動し、順次ドリル６１の連続的穿孔切削作用によって管路周縁部を図５に示すように開口することが可能である。前記せる図２に示す実施例ではドリル６１を回転させるシャフトはフレキシブルシャフト１７であり、エンドミル装置本体６内のギヤ列（図示せず）を介してエンドミル６１が回転される。
【００１４】
次いで、図４に基づく実施例について説明すると、エンドミル装置本体７を管路周縁部の外側に位置させ、管路２の内側には支持部材１２によって連結されたガイドローラ８及び駆動ローラ９とが該エンドミル装置本体７と共に、更に支持部材１０、１１によって連結され、駆動ローラ９を回転させながらエンドミルの連続的穿孔切削作用によって管路周縁部を図５に示すように開口することができる。
【００１５】
支持部材１０、１１、１２にはそれぞれ張力調節部１３、１４、１５が介在されており、支軸１９、２０、２１間の張力を調節しており、駆動ローラ９の駆動がスムーズに行われる。
【００１６】
【発明の効果】
本発明の管路周縁部開口方法及び装置は以上説明したような構成であるので、既存のマンホールと管路との接続部分を開口し、該開口部に免震材等を充填して免震構造とする作業工程において、エンドミルの連続的穿孔切削作用によって容易に管路周縁部を開口することができる。
【図面の簡単な説明】
【図１】本発明管路周縁部開口装置の側面図である。
【図２】本発明管路周縁部開口装置の側面図である。
【図３】図１の部分拡大側面図である。
【図４】本発明管路周縁部開口方法及び装置の他の実施例を示す部分正面図である。
【図５】本発明管路周縁部開口方法及び装置によって開口された管路周縁開口部の斜視図である。
【符号の説明】
１．マンホール壁体
２．管路
３．固定部材
４．固定位置調整部
５．駆動部
５１．Ｌ型支軸
６．エンドミル装置本体
６１．エンドミル
６２．ラック
６３．ピニオン軸
６４．ガイド部材
６５．操作レバー
６６．ピニオン・ラック機構
６７．貫通孔
６０１．耐圧カバー
６０２．ホース
６０３．バルブ
６０４．ホース
６０５．バルブ
７．エンドミル装置本体
８．ガイドローラ
９．駆動ローラ
１０．支持部材
１１．支持部材ト
１２．支持部材
１３．張力調節部
１４．張力調節部
１５．張力調節部
１６．止水兼用弾性材
１７．フレキシブルシャフト
１８．管路周縁開口部
１９．支軸
２０．支軸
２１．支軸
【図１】
2004332515.tif 000003
【図２】
2004332515.tif 000004
【図３】
2004332515.tif 000005
【図４】
2004332515.tif 000006
【図５】
2004332515.tif 000007